【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
正極および負極と共に非水電解液を備え、
前記非水電解液は、式（１１）で表されるメチレン環状炭酸エステルと、式（１２）〜式（１６）で表される化合物のうちの少なくとも１種とを含む、
二次電池。
【化８１】
2013084575.tif 000001
（Ｒ１およびＲ２は、水素基、ハロゲン基、１価の炭化水素基、１価のハロゲン化炭化水素基、１価の酸素含有炭化水素基、または１価のハロゲン化酸素含有炭化水素基であり、Ｒ１およびＲ２は、互いに結合されていてもよい。）
【化８２】
2013084575.tif 000002
（Ｒ７１およびＲ７３は、１価の炭化水素基、１価のハロゲン化炭化水素基、１価の酸素含有炭化水素基、または１価のハロゲン化酸素含有炭化水素基であり、Ｒ７２は、２価の炭化水素基、２価のハロゲン化炭化水素基、２価の酸素含有炭化水素基、または２価のハロゲン化酸素含有炭化水素基である。）
【化８３】
2013084575.tif 000003
（Ｒ７４およびＲ７６は、１価の炭化水素基、１価のハロゲン化炭化水素基、１価の酸素含有炭化水素基、または１価のハロゲン化酸素含有炭化水素基であり、Ｒ７５は、２価の炭化水素基、２価のハロゲン化炭化水素基、２価の酸素含有炭化水素基、または２価のハロゲン化酸素含有炭化水素基である。ｎは、１以上の整数である。）
【化８４】
2013084575.tif 000004
（Ｒ７７およびＲ７９は、１価の炭化水素基、１価のハロゲン化炭化水素基、１価の酸素含有炭化水素基、または１価のハロゲン化酸素含有炭化水素基であり、Ｒ７８は、２価の炭化水素基、２価のハロゲン化炭化水素基、２価の酸素含有炭化水素基、または２価のハロゲン化酸素含有炭化水素基である。）
Ｌｉ2 ＰＦＯ3   …（１５）
ＬｉＰＦ2 Ｏ2   …（１６）
【請求項２】
前記非水電解液は、不飽和環状炭酸エステルおよびハロゲン化炭酸エステルのうちの少なくとも一方を含み、
前記不飽和環状炭酸エステルは、式（２）で表される第１不飽和環状炭酸エステルおよび式（３）で表される第２不飽和環状炭酸エステルのうちの少なくとも一方を含み、
前記ハロゲン化炭酸エステルは、式（４）で表される環状ハロゲン化炭酸エステルおよび式（５）で表される鎖状ハロゲン化炭酸エステルのうちの少なくとも一方を含む、
請求項１記載の二次電池。
【化８５】
2013084575.tif 000005
（Ｒ１１およびＲ１２は、水素基またはアルキル基である。）
【化８６】
2013084575.tif 000006
（Ｒ１３〜Ｒ１６は、水素基、アルキル基、ビニル基またはアリル基であり、Ｒ１３〜Ｒ１６のうちの少なくとも１つは、ビニル基またはアリル基である。）
【化８７】
2013084575.tif 000007
（Ｒ１７〜Ｒ２０は、水素基、ハロゲン基、１価の炭化水素基または１価のハロゲン化炭化水素基であり、Ｒ１７〜Ｒ２０のうちの少なくとも１つは、ハロゲン基または１価のハロゲン化炭化水素基である。）
【化８８】
2013084575.tif 000008
（Ｒ２１〜Ｒ２６は、水素基、ハロゲン基、１価の炭化水素基または１価のハロゲン化炭化水素基であり、Ｒ２１〜Ｒ２６のうちの少なくとも１つは、ハロゲン基または１価のハロゲン化炭化水素基である。）
【請求項３】
前記Ｒ１およびＲ２のうち、
前記ハロゲン基は、フッ素基、塩素基、臭素基またはヨウ素基であり、
前記１価の炭化水素基または前記１価のハロゲン化炭化水素基は、炭素数＝１〜１２のアルキル基、炭素数＝２〜１２のアルケニル基、炭素数＝２〜１２のアルキニル基、炭素数＝６〜１８のアリール基、炭素数＝３〜１８のシクロアルキル基、またはそれらの少なくとも一部の水素基がハロゲン基により置換された基であり、
前記１価の酸素含有炭化水素基または前記１価のハロゲン化酸素含有炭化水素基は、炭素数＝１〜１２のアルコキシ基、またはその少なくとも一部の水素基がハロゲン基により置換された基であり、
前記Ｒ７１〜７９のうち、
前記１価の炭化水素基または前記１価のハロゲン化炭化水素基は、炭素数＝１〜１２のアルキル基、炭素数＝２〜１２のアルケニル基、炭素数＝２〜１２のアルキニル基、炭素数＝６〜１８のアリール基、炭素数＝６〜１８のシクロアルキル基、またはそれらの少なくとも一部の水素基がハロゲン基により置換された基であり、
前記１価の酸素含有炭化水素基または前記１価のハロゲン化酸素含有炭化水素基は、炭素数＝１〜１２のアルコキシ基、またはその少なくとも一部の水素基がハロゲン基により置換された基であり、
前記２価の炭化水素基または前記２価のハロゲン化水素基は、炭素数＝１〜１２のアルキレン基、炭素数＝２〜１２のアルケニレン基、炭素数＝２〜１２のアルキニレン基、炭素数＝６〜１８のアリーレン基、炭素数＝３〜１８のシクロアルキレン基、アリーレン基とアルキレン基とを含む基、またはそれらの少なくとも一部の水素基がハロゲン基により置換された基であり、
前記２価の酸素含有炭化水素基または前記２価のハロゲン化酸素含有炭化水素基は、エーテル結合とアルキレン基とを含む基、またはその少なくとも一部の水素基がハロゲン基により置換された基である、
請求項１または請求項２に記載の二次電池。
【請求項４】
前記非水電解液中における前記メチレン環状炭酸エステルの含有量は、０．０１重量％〜１０重量％であると共に、前記非水電解液中における前記化合物の含有量は、０．００１重量％〜２重量％である、
請求項１ないし請求項３のいずれか１項に記載の二次電池。
【請求項５】
前記非水電解液中における前記第１不飽和環状炭酸エステルの含有量をＡ（重量％）、前記非水電解液中における前記メチレン環状炭酸エステルの含有量をＢ（重量％）としたとき、Ａ＝０．０１重量％〜５重量％、Ｂ＝０．０１重量％〜５重量％、およびＢ／Ａ＝０．００２〜５００を満たす、
請求項２ないし請求項４のいずれか１項に記載の二次電池。
【請求項６】
前記不飽和環状炭酸エステルは、炭酸ビニレン（１，３−ジオキソール−２−オン）または炭酸メチルビニレン（４−メチル−１，３−ジオキソール−２−オン）を含む、
請求項２ないし請求項５のいずれか１項に記載の二次電池。
【請求項７】
前記非水電解液中における前記ハロゲン化炭酸エステルの含有量をＣ（重量％）、前記非水電解液中における前記メチレン環状炭酸エステルの含有量をＤ（重量％）としたとき、Ｃ＝０．０１重量％〜３０重量％、Ｄ＝０．０１重量％〜５重量％、およびＤ／Ｃ＝１／３０００〜５００を満たす、
請求項２ないし請求項６のいずれか１項に記載の二次電池。
【請求項８】
前記ハロゲン化炭酸エステルは、４−フルオロ−１，３−ジオキソラン−２−オンを含む、
請求項２ないし請求項７のいずれか１項に記載の二次電池。
【請求項９】
前記非水電解液は、炭酸エチレン（１，３−ジオキソラン−２−オン）および炭酸プロピレン（４−メチル−１，３−ジオキソラン−２−オン）を含み、
前記炭酸エチレンと前記炭酸プロピレンとの混合比は、重量比で炭酸エチレン：炭酸プロピレン＝７５：２５〜２５：７５であり、
前記非水電解液中における前記メチレン環状炭酸エステルの含有量は、０．０１重量％〜１０重量％である、
請求項１ないし請求項８のいずれか１項に記載の二次電池。
【請求項１０】
リチウムイオン二次電池である、
請求項１ないし請求項９のいずれか１項に記載の二次電池。
【請求項１１】
式（１１）で表されるメチレン環状炭酸エステルと、式（１２）〜式（１６）で表される化合物のうちの少なくとも１種とを含む、
二次電池用非水電解液。
【化８９】
2013084575.tif 000009
（Ｒ１およびＲ２は、水素基、ハロゲン基、１価の炭化水素基、１価のハロゲン化炭化水素基、１価の酸素含有炭化水素基、または１価のハロゲン化酸素含有炭化水素基であり、Ｒ１およびＲ２は、互いに結合されていてもよい。）
【化９０】
2013084575.tif 000010
（Ｒ７１およびＲ７３は、１価の炭化水素基、１価のハロゲン化炭化水素基、１価の酸素含有炭化水素基、または１価のハロゲン化酸素含有炭化水素基であり、Ｒ７２は、２価の炭化水素基、２価のハロゲン化炭化水素基、２価の酸素含有炭化水素基、または２価のハロゲン化酸素含有炭化水素基である。）
【化９１】
2013084575.tif 000011
（Ｒ７４およびＲ７６は、１価の炭化水素基、１価のハロゲン化炭化水素基、１価の酸素含有炭化水素基、または１価のハロゲン化酸素含有炭化水素基であり、Ｒ７５は、２価の炭化水素基、２価のハロゲン化炭化水素基、２価の酸素含有炭化水素基、または２価のハロゲン化酸素含有炭化水素基である。ｎは、１以上の整数である。）
【化９２】
2013084575.tif 000012
（Ｒ７７およびＲ７９は、１価の炭化水素基、１価のハロゲン化炭化水素基、１価の酸素含有炭化水素基、または１価のハロゲン化酸素含有炭化水素基であり、Ｒ７８は、２価の炭化水素基、２価のハロゲン化炭化水素基、２価の酸素含有炭化水素基、または２価のハロゲン化酸素含有炭化水素基である。）
Ｌｉ2 ＰＦＯ3   …（１５）
ＬｉＰＦ2 Ｏ2   …（１６）
【請求項１２】
二次電池と、
その二次電池の使用状態を制御する制御部と、
その制御部の指示に応じて前記二次電池の使用状態を切り換えるスイッチ部と
を備え、
前記二次電池は、正極および負極と共に非水電解液を備え、
前記非水電解液は、式（１１）で表されるメチレン環状炭酸エステルと、式（１２）〜式（１６）で表される化合物のうちの少なくとも１種とを含む、
電池パック。
【化９３】
2013084575.tif 000013
（Ｒ１およびＲ２は、水素基、ハロゲン基、１価の炭化水素基、１価のハロゲン化炭化水素基、１価の酸素含有炭化水素基、または１価のハロゲン化酸素含有炭化水素基であり、Ｒ１およびＲ２は、互いに結合されていてもよい。）
【化９４】
2013084575.tif 000014
（Ｒ７１およびＲ７３は、１価の炭化水素基、１価のハロゲン化炭化水素基、１価の酸素含有炭化水素基、または１価のハロゲン化酸素含有炭化水素基であり、Ｒ７２は、２価の炭化水素基、２価のハロゲン化炭化水素基、２価の酸素含有炭化水素基、または２価のハロゲン化酸素含有炭化水素基である。）
【化９５】
2013084575.tif 000015
（Ｒ７４およびＲ７６は、１価の炭化水素基、１価のハロゲン化炭化水素基、１価の酸素含有炭化水素基、または１価のハロゲン化酸素含有炭化水素基であり、Ｒ７５は、２価の炭化水素基、２価のハロゲン化炭化水素基、２価の酸素含有炭化水素基、または２価のハロゲン化酸素含有炭化水素基である。ｎは、１以上の整数である。）
【化９６】
2013084575.tif 000016
（Ｒ７７およびＲ７９は、１価の炭化水素基、１価のハロゲン化炭化水素基、１価の酸素含有炭化水素基、または１価のハロゲン化酸素含有炭化水素基であり、Ｒ７８は、２価の炭化水素基、２価のハロゲン化炭化水素基、２価の酸素含有炭化水素基、または２価のハロゲン化酸素含有炭化水素基である。）
Ｌｉ2 ＰＦＯ3   …（１５）
ＬｉＰＦ2 Ｏ2   …（１６）
【請求項１３】
二次電池と、
その二次電池から供給された電力を駆動力に変換する変換部と、
その駆動力に応じて駆動する駆動部と、
前記二次電池の使用状態を制御する制御部と
を備え、
前記二次電池は、正極および負極と共に非水電解液を備え、
前記非水電解液は、式（１１）で表されるメチレン環状炭酸エステルと、式（１２）〜式（１６）で表される化合物のうちの少なくとも１種とを含む、
電動車両。
【化９７】
2013084575.tif 000017
（Ｒ１およびＲ２は、水素基、ハロゲン基、１価の炭化水素基、１価のハロゲン化炭化水素基、１価の酸素含有炭化水素基、または１価のハロゲン化酸素含有炭化水素基であり、Ｒ１およびＲ２は、互いに結合されていてもよい。）
【化９８】
2013084575.tif 000018
（Ｒ７１およびＲ７３は、１価の炭化水素基、１価のハロゲン化炭化水素基、１価の酸素含有炭化水素基、または１価のハロゲン化酸素含有炭化水素基であり、Ｒ７２は、２価の炭化水素基、２価のハロゲン化炭化水素基、２価の酸素含有炭化水素基、または２価のハロゲン化酸素含有炭化水素基である。）
【化９９】
2013084575.tif 000019
（Ｒ７４およびＲ７６は、１価の炭化水素基、１価のハロゲン化炭化水素基、１価の酸素含有炭化水素基、または１価のハロゲン化酸素含有炭化水素基であり、Ｒ７５は、２価の炭化水素基、２価のハロゲン化炭化水素基、２価の酸素含有炭化水素基、または２価のハロゲン化酸素含有炭化水素基である。ｎは、１以上の整数である。）
【化１００】
2013084575.tif 000020
（Ｒ７７およびＲ７９は、１価の炭化水素基、１価のハロゲン化炭化水素基、１価の酸素含有炭化水素基、または１価のハロゲン化酸素含有炭化水素基であり、Ｒ７８は、２価の炭化水素基、２価のハロゲン化炭化水素基、２価の酸素含有炭化水素基、または２価のハロゲン化酸素含有炭化水素基である。）
Ｌｉ2 ＰＦＯ3   …（１５）
ＬｉＰＦ2 Ｏ2   …（１６）
【請求項１４】
二次電池と、
その二次電池から電力を供給される１または２以上の電気機器と、
前記二次電池からの前記電気機器に対する電力供給を制御する制御部と
を備え、
前記二次電池は、正極および負極と共に非水電解液を備え、
前記非水電解液は、式（１１）で表されるメチレン環状炭酸エステルと、式（１２）〜式（１６）で表される化合物のうちの少なくとも１種とを含む、
電力貯蔵システム。
【化１０１】
2013084575.tif 000021
（Ｒ１およびＲ２は、水素基、ハロゲン基、１価の炭化水素基、１価のハロゲン化炭化水素基、１価の酸素含有炭化水素基、または１価のハロゲン化酸素含有炭化水素基であり、Ｒ１およびＲ２は、互いに結合されていてもよい。）
【化１０２】
2013084575.tif 000022
（Ｒ７１およびＲ７３は、１価の炭化水素基、１価のハロゲン化炭化水素基、１価の酸素含有炭化水素基、または１価のハロゲン化酸素含有炭化水素基であり、Ｒ７２は、２価の炭化水素基、２価のハロゲン化炭化水素基、２価の酸素含有炭化水素基、または２価のハロゲン化酸素含有炭化水素基である。）
【化１０３】
2013084575.tif 000023
（Ｒ７４およびＲ７６は、１価の炭化水素基、１価のハロゲン化炭化水素基、１価の酸素含有炭化水素基、または１価のハロゲン化酸素含有炭化水素基であり、Ｒ７５は、２価の炭化水素基、２価のハロゲン化炭化水素基、２価の酸素含有炭化水素基、または２価のハロゲン化酸素含有炭化水素基である。ｎは、１以上の整数である。）
【化１０４】
2013084575.tif 000024
（Ｒ７７およびＲ７９は、１価の炭化水素基、１価のハロゲン化炭化水素基、１価の酸素含有炭化水素基、または１価のハロゲン化酸素含有炭化水素基であり、Ｒ７８は、２価の炭化水素基、２価のハロゲン化炭化水素基、２価の酸素含有炭化水素基、または２価のハロゲン化酸素含有炭化水素基である。）
Ｌｉ2 ＰＦＯ3   …（１５）
ＬｉＰＦ2 Ｏ2   …（１６）
【請求項１５】
二次電池と、
その二次電池から電力を供給される可動部と
を備え、
前記二次電池は、正極および負極と共に非水電解液を備え、
前記非水電解液は、式（１１）で表されるメチレン環状炭酸エステルと、式（１２）〜式（１６）で表される化合物のうちの少なくとも１種とを含む、
電動工具。
【化１０５】
2013084575.tif 000025
（Ｒ１およびＲ２は、水素基、ハロゲン基、１価の炭化水素基、１価のハロゲン化炭化水素基、１価の酸素含有炭化水素基、または１価のハロゲン化酸素含有炭化水素基であり、Ｒ１およびＲ２は、互いに結合されていてもよい。）
【化１０６】
2013084575.tif 000026
（Ｒ７１およびＲ７３は、１価の炭化水素基、１価のハロゲン化炭化水素基、１価の酸素含有炭化水素基、または１価のハロゲン化酸素含有炭化水素基であり、Ｒ７２は、２価の炭化水素基、２価のハロゲン化炭化水素基、２価の酸素含有炭化水素基、または２価のハロゲン化酸素含有炭化水素基である。）
【化１０７】
2013084575.tif 000027
（Ｒ７４およびＲ７６は、１価の炭化水素基、１価のハロゲン化炭化水素基、１価の酸素含有炭化水素基、または１価のハロゲン化酸素含有炭化水素基であり、Ｒ７５は、２価の炭化水素基、２価のハロゲン化炭化水素基、２価の酸素含有炭化水素基、または２価のハロゲン化酸素含有炭化水素基である。ｎは、１以上の整数である。）
【化１０８】
2013084575.tif 000028
（Ｒ７７およびＲ７９は、１価の炭化水素基、１価のハロゲン化炭化水素基、１価の酸素含有炭化水素基、または１価のハロゲン化酸素含有炭化水素基であり、Ｒ７８は、２価の炭化水素基、２価のハロゲン化炭化水素基、２価の酸素含有炭化水素基、または２価のハロゲン化酸素含有炭化水素基である。）
Ｌｉ2 ＰＦＯ3   …（１５）
ＬｉＰＦ2 Ｏ2   …（１６）
【請求項１６】
二次電池を電力供給源として備え、
前記二次電池は、正極および負極と共に非水電解液を備え、
前記非水電解液は、式（１１）で表されるメチレン環状炭酸エステルと、式（１２）〜式（１６）で表される化合物のうちの少なくとも１種とを含む、
電子機器。
【化１０９】
2013084575.tif 000029
（Ｒ１およびＲ２は、水素基、ハロゲン基、１価の炭化水素基、１価のハロゲン化炭化水素基、１価の酸素含有炭化水素基、または１価のハロゲン化酸素含有炭化水素基であり、Ｒ１およびＲ２は、互いに結合されていてもよい。）
【化１１０】
2013084575.tif 000030
（Ｒ７１およびＲ７３は、１価の炭化水素基、１価のハロゲン化炭化水素基、１価の酸素含有炭化水素基、または１価のハロゲン化酸素含有炭化水素基であり、Ｒ７２は、２価の炭化水素基、２価のハロゲン化炭化水素基、２価の酸素含有炭化水素基、または２価のハロゲン化酸素含有炭化水素基である。）
【化１１１】
2013084575.tif 000031
（Ｒ７４およびＲ７６は、１価の炭化水素基、１価のハロゲン化炭化水素基、１価の酸素含有炭化水素基、または１価のハロゲン化酸素含有炭化水素基であり、Ｒ７５は、２価の炭化水素基、２価のハロゲン化炭化水素基、２価の酸素含有炭化水素基、または２価のハロゲン化酸素含有炭化水素基である。ｎは、１以上の整数である。）
【化１１２】
2013084575.tif 000032
（Ｒ７７およびＲ７９は、１価の炭化水素基、１価のハロゲン化炭化水素基、１価の酸素含有炭化水素基、または１価のハロゲン化酸素含有炭化水素基であり、Ｒ７８は、２価の炭化水素基、２価のハロゲン化炭化水素基、２価の酸素含有炭化水素基、または２価のハロゲン化酸素含有炭化水素基である。）
Ｌｉ2 ＰＦＯ3   …（１５）
ＬｉＰＦ2 Ｏ2   …（１６）
【手続補正２】
【補正対象書類名】明細書
【補正対象項目名】発明の名称
【補正方法】変更
【補正の内容】
【発明の名称】二次電池用非水電解液、二次電池、電池パック、電動車両、電力貯蔵システム、電動工具および電子機器
【手続補正３】
【補正対象書類名】明細書
【補正対象項目名】０００１
【補正方法】変更
【補正の内容】
【０００１】
本技術は、二次電池用非水電解液、その二次電池用非水電解液を備えた二次電池、ならびにその二次電池を用いた電池パック、電動車両、電力貯蔵システム、電動工具および電子機器に関する。
【手続補正４】
【補正対象書類名】明細書
【補正対象項目名】０００８
【補正方法】変更
【補正の内容】
【０００８】
本技術はかかる問題点に鑑みてなされたもので、その目的は、優れた電池特性を得ることが可能な二次電池用非水電解液、二次電池、電池パック、電動車両、電力貯蔵システム、電動工具および電子機器を提供することにある。
【手続補正５】
【補正対象書類名】明細書
【補正対象項目名】０００９
【補正方法】変更
【補正の内容】
【０００９】
本技術の二次電池用非水電解液は、式（１１）で表されるメチレン環状炭酸エステルと、式（１２）〜式（１６）で表される化合物のうちの少なくとも１種とを含むものである。
【化４３】
2013084575.tif 000033
（Ｒ１およびＲ２は、水素基、ハロゲン基、１価の炭化水素基、１価のハロゲン化炭化水素基、１価の酸素含有炭化水素基、または１価のハロゲン化酸素含有炭化水素基であり、Ｒ１およびＲ２は、互いに結合されていてもよい。）
【化４４】
2013084575.tif 000034
（Ｒ７１およびＲ７３は、１価の炭化水素基、１価のハロゲン化炭化水素基、１価の酸素含有炭化水素基、または１価のハロゲン化酸素含有炭化水素基であり、Ｒ７２は、２価の炭化水素基、２価のハロゲン化炭化水素基、２価の酸素含有炭化水素基、または２価のハロゲン化酸素含有炭化水素基である。）
【化４５】
2013084575.tif 000035
（Ｒ７４およびＲ７６は、１価の炭化水素基、１価のハロゲン化炭化水素基、１価の酸素含有炭化水素基、または１価のハロゲン化酸素含有炭化水素基であり、Ｒ７５は、２価の炭化水素基、２価のハロゲン化炭化水素基、２価の酸素含有炭化水素基、または２価のハロゲン化酸素含有炭化水素基である。ｎは、１以上の整数である。）
【化４６】
2013084575.tif 000036
（Ｒ７７およびＲ７９は、１価の炭化水素基、１価のハロゲン化炭化水素基、１価の酸素含有炭化水素基、または１価のハロゲン化酸素含有炭化水素基であり、Ｒ７８は、２価の炭化水素基、２価のハロゲン化炭化水素基、２価の酸素含有炭化水素基、または２価のハロゲン化酸素含有炭化水素基である。）
Ｌｉ2 ＰＦＯ3   …（１５）
ＬｉＰＦ2 Ｏ2   …（１６）
【手続補正６】
【補正対象書類名】明細書
【補正対象項目名】００１０
【補正方法】変更
【補正の内容】
【００１０】
本技術の二次電池は、正極および負極と共に非水電解液を備え、その非水電解液が上記した本技術の二次電池用非水電解液と同様の構成を有するものである。また、本技術の電池パック、電動車両、電力貯蔵システム、電動工具および電子機器のそれぞれは、二次電池を備え、その二次電池が上記した本技術の二次電池と同様の構成を有するものである。
【手続補正７】
【補正対象書類名】明細書
【補正対象項目名】００１１
【補正方法】変更
【補正の内容】
【００１１】
本技術の二次電池用非水電解液または二次電池によれば、電解液が式（１１）に示したメチレン環状炭酸エステルと式（１２）〜式（１６）に示した化合物のうちの少なくとも１種とを含んでいるので、優れた電池特性を得ることができる。また、本技術の二次電池を用いた電池パック、電動車両、電力貯蔵システム、電動工具または電子機器でも同様の効果を得ることができる。